(57)【要約】【課題】宿泊施設の宿泊先での洗濯の煩わしさを無くすことができる洗濯乾燥機を提供すること。【解決手段】浴室１００の側壁１０１に取り付けられた筐体２内に設けられた洗濯兼脱水槽１０と、該洗濯兼脱水槽１０内に水流を発生させるパルセータ１４と、前記洗濯兼脱水槽１０内に供給する水道水あるいは洗濯兼脱水槽１０に供給された水道水を電気分解し洗浄水を生成する電解装置２６と、前記洗濯兼脱水槽１０内の洗浄水の排水バルブ２３及び排水管２４と、前記洗濯兼脱水槽１０内の洗濯物を加熱するシーズヒータ１９とを備えた洗濯乾燥機１と、宿泊施設における浴室１００以外の客室内に設けられた前記洗濯乾燥機１の操作スイッチ１０４と、該操作スイッチ１０４の操作に基づく信号を通信回線を介して入力して前記洗濯乾燥機１の使用状態を管理する管理用コンピュータ１０７とを備えた。【選択図】  図２
2004194879.tif 000002
【特許請求の範囲】
【請求項１】
洗濯物を洗濯し、乾燥する洗濯乾燥機において、浴室の側壁に取り付けたことを特徴とする洗濯乾燥機。
【請求項２】
浴室の側壁に取り付けられた筐体内に設けられた洗濯脱水槽と、該洗濯脱水槽内に水流を発生させる水流発生手段と、前記洗濯脱水槽内に供給する水道水あるいは洗濯脱水槽内に供給された水道水を電気分解し洗浄水を生成する水処理手段と、前記洗濯脱水槽内の洗浄水の排出手段と、前記洗濯脱水槽内の洗濯物を加熱する加熱手段と、運転スイッチの操作により前記水流発生手段、水処理手段及び加熱手段の動作を制御する制御手段とを備えたことを特徴とする洗濯乾燥機。
【請求項３】
浴室の側壁に取り付けられた筐体内に設けられた洗濯脱水槽と、該洗濯脱水槽内に水流を発生させる水流発生手段と、前記洗濯脱水槽内に供給する水道水あるいは洗濯脱水槽内に供給された水道水を電気分解し洗浄水を生成する水処理手段と、排水バルブが途中に設けられ前記洗濯脱水槽内の洗浄水を浴槽に排出可能な排出手段と、前記洗濯脱水槽内の洗濯物を加熱する加熱手段と、運転スイッチの操作により前記水流発生手段、水処理手段、排水バルブ及び加熱手段の動作を制御する制御手段とを備えたことを特徴とする洗濯乾燥機。
【請求項４】
浴室の側壁に取り付けられた筐体内に設けられた洗濯脱水槽と、該洗濯脱水槽内に水流を発生させる水流発生手段と、前記洗濯脱水槽内に供給する水道水あるいは洗濯脱水槽内に供給された水道水を電気分解し洗浄水を生成する水処理手段と、前記洗濯脱水槽内の洗浄水の排出手段と、前記洗濯脱水槽内の洗濯物を加熱する加熱手段と、筐体に設けられた運転スイッチの操作により水流発生手段、水処理手段及び加熱手段の動作を制御する制御手段とを備えた洗濯乾燥機と、
宿泊施設における浴室以外の客室内に設けられた前記洗濯乾燥機の電源スイッチと、
該電源スイッチの操作に基づく信号を通信回線を介して入力して前記洗濯乾燥機の使用状態を管理するコンピュータとを備えたことを特徴とする洗濯乾燥機の管理システム。
【請求項５】
浴室の側壁に取り付けられた筐体内に設けられた洗濯脱水槽と、該洗濯脱水槽内に水流を発生させる水流発生手段と、前記洗濯脱水槽内に供給する水道水あるいは洗濯脱水槽内に供給された水道水を電気分解し洗浄水を生成する水処理手段と、前記洗濯脱水槽内の洗浄水の排出手段と、前記洗濯脱水槽内の洗濯物を加熱する加熱手段とを備えた洗濯乾燥機と、
宿泊施設における浴室以外の客室内に設けられた前記洗濯乾燥機の操作スイッチと、
該操作スイッチの操作に基づく信号を通信回線を介して入力して前記洗濯乾燥機の使用状態を管理するコンピュータとを備えたことを特徴とする洗濯乾燥機の管理システム。
【発明の詳細な説明】
【０００１】
【発明の属する技術分野】
本発明は、洗濯物を洗濯し、乾燥する洗濯乾燥機及び洗濯乾燥機の管理システムに関するものである。
【０００２】
【従来の技術】
この種洗濯乾燥機にあっては、一般の家庭或いはコインランドリーなどにて使用され、洗濯槽に投入された洗濯物を洗濯水によって洗濯し、濯いだ後、乾燥するものがある（例えば、特許文献参照）。
【０００３】
そして、洗濯には水道水を電気分解した洗浄水を使用する洗濯乾燥機が提供されている。
【０００４】
【特許文献】
特開平５−１３１０９９号公報
【０００５】
【発明が解決しようとする課題】
ところで、上記のような洗濯乾燥機は、一般の家庭などにて使用され、ホテル等に宿泊している、例えば３日以上の仕事の出張者或いは観光客は毎晩着替える下着、靴下或いはハンカチをホテル等で手洗いする必要があり、この毎晩の手洗いが煩わしいという問題が生じる。
【０００６】
また、毎晩の洗濯物の手洗いの煩わしさを避けるために数日分の着替えなどを持参することもあるが、この場合には出張日数の増加に伴い持参する着替えなどの枚数が増加するという問題が生じる。
【０００７】
本発明は、上記の点に鑑みて為されたものであり、ホテル等での洗濯の煩わしさを無くし、出張などの際に持参する着替えなどの枚数を極力少なくすることを可能にする洗濯乾燥機を提供することを目的とする。
【０００８】
【課題を解決するための手段】
このため第１の発明に係る洗濯乾燥機は、浴室の側壁に取り付けたことを特徴とする。
【０００９】
第２の発明に係る洗濯乾燥機は、浴室の側壁に取り付けられた筐体内に設けられた洗濯脱水槽と、該洗濯脱水槽内に水流を発生させる水流発生手段と、前記洗濯脱水槽内に供給する水道水あるいは洗濯脱水槽内に供給された水道水を電気分解し洗浄水を生成する水処理手段と、前記洗濯脱水槽内の洗浄水の排出手段と、前記洗濯脱水槽内の洗濯物を加熱する加熱手段と、運転スイッチの操作により前記水流発生手段、水処理手段及び加熱手段の動作を制御する制御手段とを備えたことを特徴とする。
【００１０】
第３の発明に係る洗濯乾燥機は、浴室の側壁に取り付けられた筐体内に設けられた洗濯脱水槽と、該洗濯脱水槽内に水流を発生させる水流発生手段と、前記洗濯脱水槽内に供給する水道水あるいは洗濯脱水槽内に供給された水道水を電気分解し洗浄水を生成する水処理手段と、排水バルブが途中に設けられ前記洗濯脱水槽内の洗浄水を浴槽に排出可能な排出手段と、前記洗濯脱水槽内の洗濯物を加熱する加熱手段と、運転スイッチの操作により前記水流発生手段、水処理手段、排水バルブ及び加熱手段の動作を制御する制御手段とを備えたことを特徴とする。
【００１１】
第４の発明に係る洗濯乾燥機の管理システムは、浴室の側壁に取り付けられた筐体内に設けられた洗濯脱水槽と、該洗濯脱水槽内に水流を発生させる水流発生手段と、前記洗濯脱水槽内に供給する水道水あるいは洗濯脱水槽内に供給された水道水を電気分解し洗浄水を生成する水処理手段と、前記洗濯脱水槽内の洗浄水の排出手段と、前記洗濯脱水槽内の洗濯物を加熱する加熱手段と、筐体に設けられた運転スイッチの操作により水流発生手段、水処理手段及び加熱手段の動作を制御する制御手段とを備えた洗濯乾燥機と、宿泊施設における浴室以外の客室内に設けられた前記洗濯乾燥機の電源スイッチと、該電源スイッチの操作に基づく信号を通信回線を介して入力して前記洗濯乾燥機の使用状態を管理するコンピュータとを備えたことを特徴とする。
【００１２】
第５の発明に係る洗濯乾燥機の管理システムは、浴室の側壁に取り付けられた筐体内に設けられた洗濯脱水槽と、該洗濯脱水槽内に水流を発生させる水流発生手段と、前記洗濯脱水槽内に供給する水道水あるいは洗濯脱水槽内に供給された水道水を電気分解し洗浄水を生成する水処理手段と、前記洗濯脱水槽内の洗浄水の排出手段と、前記洗濯脱水槽内の洗濯物を加熱する加熱手段とを備えた洗濯乾燥機と、宿泊施設における浴室以外の客室内に設けられた前記洗濯乾燥機の操作スイッチと、該操作スイッチの操作に基づく信号を通信回線を介して入力して前記洗濯乾燥機の使用状態を管理するコンピュータとを備えたことを特徴とする。
【００１３】
【発明の実施の形態】
以下本発明の実施の形態を図に基づき説明する。図１は、洗濯乾燥機をホテルや旅館等の宿泊施設における浴室に設けた状態の説明図、図２は洗濯乾燥機の縦断側面図である。
【００１４】
図１において、１は宿泊施設における各客室内の浴室１００の側壁１０１に取り付けられた洗濯乾燥機であり、１０２は浴槽、１０３は客室内の浴室１００以外の場所、例えばベッドの脇のテーブル等に配設される操作パネルであり、この操作パネル１０３には図示しない照明の操作スイッチ１０４及び図示しない空気調和機の操作スイッチ１０５と共に洗濯乾燥機１の電源スイッチ１０６が設けられている。また、１０７は宿泊施設における管理室に設けられた管理用のコンピュータであり、洗濯乾燥機１、操作パネル１０３及び管理用コンピュータ１０７は通信回線１１１、１１２により接続されている。
【００１５】
以下、洗濯乾燥機１について詳細に説明する。２は洗濯乾燥機１の外形を成す筐体であり、この筐体２は上部及び下部のフランジ２ＡがビスＢにて浴室１００の側壁１０１に取り付けられている。そして、筐体２の上面板３に形成された開口４は、ヒンジ５を介して取り付けられた蓋７によって開閉自在に閉塞されている。筐体２内に設けられた有底上面開口の外槽６は、上端が上面板３に取り付けられて下端が外槽６の側壁に取り付けられた複数の吊り具８を介して上面板３から吊り下げられている。
【００１６】
前記外槽６の内部には周壁に多数の脱水孔９を有する有底上面開口の洗濯兼脱水槽１０が外槽６と間隔Ｓを存して配置され、該洗濯兼脱水槽１０は脱水槽軸１２を中心に回転自在に軸支されている。そして、洗濯兼脱水槽１０の底部には外槽６内に水流を発生させ、投入された洗濯物を撹拌するための水流発生手段としてのパルセータ１４が配置されている。
【００１７】
また、前記外槽６の底部には、パルセータ１４及び洗濯兼脱水槽１０を回転駆動する駆動機構１５が設けられている。この駆動機構１５は、脱水槽軸１２、該脱水槽軸１２に内装されたパルセータ１４の回転軸である翼軸１６、脱水槽軸１２及び翼軸１６と同軸的に設けられたモータ１７及び該モータ１７の動力を翼軸１６のみに伝えるか、翼軸１６と脱水槽軸１２との双方に伝えるかを切り換える図示しないクラッチを備えている。そして、モータ１７の回転及びクラッチの切り換えにより、主として洗い運転時及び濯ぎ運転時にはパルセータ１４のみを一方向又は両方向に回転させ、脱水運転時には洗濯兼脱水槽１０とパルセータ１４とを一体に一方向（正転方向）に回転させる。なお、洗濯兼脱水槽１０は前記モータ１７の出力軸が１回転すると１回転し、一方パルセータ１４は翼軸の途中に減速機構（図示せず）が設けられているのでその減速比に従って回転する。
【００１８】
外槽６の上部には、上面板３を貫通して下方に延び途中に給水バルブ２０が設けられた注水管１８の注水口２１が設けられている。そして、給水バルブ２０が開放されると、水道水が注水管１８を通して注水口２１から下方の外槽６内に向けて吐出される。なお、注水口２１を洗濯兼脱水槽１０の上部に位置させ、水道水を洗濯兼脱水槽１０内に吐出してもよい。また、外槽６の側壁内面には、前記間隔Ｓに位置し、洗濯兼脱水槽１０との間に隙間を存して加熱手段としてシーズヒータ１９が支持パネル２２を介して取り付けられている。
【００１９】
外槽６の底部の最低部には排出手段として排水バルブ２３を介して排水管２４の一端が接続されている。この排水管２４の他端である排水口２５は浴槽１０２の上方に位置して配設されている。なお、この排水管２４はフレキブルで折曲可能及び回動可能としてもよく、従って入浴のときと入浴後とで、排水口２５の位置を変更させるようにしてもよい。
【００２０】
更に、外槽６の外周壁下部には、水処理手段としての電解装置２６が設けられている。この電解装置２６は、外槽６から外方向に突出して設けられた電解槽２７と、この電解槽２７内に配置された第１電極３１と第２電極３２と、電解槽２７の上部と外槽６内との間の上部通水路３３と、電解槽２７の下部と外槽６内との間の下部通水路３４とから構成されている。そして、電解槽２７は、外槽６の周壁面に対する奥行寸法が極力小さくなるように薄型箱状に形成され、第１電極３１と第２電極３２とは方形の薄板状であり、それぞれの電極表面が外槽周壁に対面するような方向に所定間隔を存して並んで配置され、このような構成により、外槽６から外側への電解槽２７の張り出しを極力抑えることができ、脱水運転時に外槽６が振動した場合にも、電解装置２６が筐体２に当たることを回避しつつ、筐体２即ち洗濯乾燥機１を極力小型化することができる。
【００２１】
また、筐体２内にはモータ１７の運転、給水バルブ２０及び排水バルブ２３の開閉、シーズヒータ１９への通電、電解装置２６への通電を制御する制御手段としての制御装置３５が設けられている。制御装置３５は、例えばマイクロコンピュータ等で構成され、図示しないＣＰＵ（セントラル・プロセッシング・ユニット）、ＲＡＭ（ランダム・アクセス・メモリ）、ＲＯＭ（リード・オンリー・メモリ）、タイマなどを備え、前面板３６には運転スイッチ３７が設けられている。
【００２２】
以下、上記のように構成された洗濯乾燥機１の動作を説明する。先ず、ビジネスの出張者或いは観光客などの宿泊客が浴槽１０２にお湯を入れて入浴するときに、宿泊客が操作パネル１０３に設けられた電源スイッチ１０６を操作しＯＮすると、ＯＮ信号が信号線１１１を介して制御装置３５に送られ、制御装置３５は運転スイッチ３７の操作を受け付けるようになる。また、ＯＮ信号が通信線１１２を介して管理室の管理用コンピュータ１０７に送られ、例えば使用されたルームナンバー及びＯＮ信号を入力した時刻、すなわち使用時刻が記憶される。
【００２３】
そして、宿泊客が浴室１００に入り衣類を脱いだ後、蓋７を開き、下着、靴下、ハンカチなどの洗濯物を開口４から洗濯兼脱水槽１０内に投入する。宿泊客が蓋７を閉め、運転スイッチ３７を操作しＯＮすると、制御装置３５が動作し給水バルブ２０の開信号を出力して、給水バルブ２０を開き、水道水が注水管１８を介して注水口２１から吐出され外槽６内に供給され、脱水孔２２を介して洗濯兼脱水槽１０内にも流入する。また、給水バルブ２０の開信号出力と同時にタイマがカウントを開始する。
【００２４】
水道水の供給が開始されてから予め設定された第１の所定時間、例えば１０秒が経過し外槽６内の下部に水道水が溜まり、電解装置２６の第１電極３１及び第２電極３２が水道水にほぼ浸かった後、上記タイマがカウントアップし、制御装置３５が電解装置２６の動作信号を出力し、第１電極３１及び第２電極３２が通電される。そして、水道水には、鉄、カルシューム、マグネシューム、塩素などの含有物が微量に含まれているため、電解槽２７内では電気分解が行われて電解水が生成される。
【００２５】
また、制御装置３５がモータ１７の運転信号を出力し、パルセータ１４が所定速度で一方向または両方向に回転する。このとき、洗濯兼脱水槽１０も所定速度で一方向または両方向に回転させてもよい。このため、電解槽２７と外槽６との間にて水道水が行き来し、外槽６内は徐々に洗浄水である電解水により満たされる。上記のように外槽６内への給水が終了する前に電解装置２６の動作を開始させることにより、洗浄水の生成が終了するまでの時間を短縮することが可能になる。また、注水口２１を電解槽２７の近傍に設けることにより、吐出された水道水を使用した電解水の生成効率を向上することも可能になる。
【００２６】
水道水の供給が開始されてから予め設定された第２の所定時間、例えば１分間が経過し外槽６内にほぼ所定の量、例えば１０リットルの水道水が供給されると、制御装置３５が給水バルブの閉信号を出力し、給水バルブは閉じ給水が停止する。そして、その後も電解装置２６及び少なくともパルセータ１４が動作を継続し、外槽６内の水道水から電解水がさらに生成される。このため、洗濯兼脱水槽１０内には水流が発生し、生成された電解水中には活性酸素が発生していると共に、次亜塩素酸（ＨＣlＯ）及び次亜塩素酸イオン（ＣｌＯ−）が発生している。洗濯物に付着した汚れは、アルカリ水及び活性酸素の効果及び水流の効果により落とされる。また、次亜塩素酸及び次亜塩素酸イオンの効果により洗濯物の除菌が行われる。
【００２７】
このように、電解水の生成及び洗濯が行われ、電解装置１０が動作を開始してから第３の所定時間である例えば１０分が経過すると、タイマがカウントアップして制御装置３５が動作し、電解装置１０が動作を停止する。その後もパルセータ１４は動作を継続し、洗濯が行われる。そして、電解装置１０が動作を停止してから第４の所定時間である例えば５分が経過すると、タイマがカウントアップして制御装置３５が動作し、モータ１７の停止信号を出力する。この結果、モータ１７が停止してパルセータ１４の回転も停止する。
【００２８】
上記のように、宿泊客が運転スイッチ３７を操作して洗濯乾燥機１が運転を開始してから洗濯運転が終わるまでほぼ１５分間経過し、その間に宿泊客は入浴を終え、浴槽１０２の図示しない栓を抜き、湯を排出して浴室１００から出る。
【００２９】
制御装置３５はモータ１７の停止信号を出力するとほぼ同時に排水バルブ２３の開信号を出力する。このため、排水バルブ２３が開き外槽６内の電解水である洗浄水が排水口２５から排出され、下方の浴槽１０２内に流下する。流下した洗浄水は浴槽１０２の内面を流れて浴槽１０２を洗浄すると共に除菌する。このとき、浴槽１０２内のほぼ全体に洗浄水がかかるように排水口２５に小さい複数の孔或いは細長の孔を形成し、排水口２５から洗浄水をシャワー状或いは扇状に極力広く散水させることにより、一層浴槽１０２の洗浄効果及び殺菌効果を向上させることが可能になる。
【００３０】
排水が終了した後、制御装置３５が動作し、モータ１７が運転を開始して洗濯兼脱水槽１０のみが回転を開始し、洗濯物が脱水され、その後、給水バルブ２０が開かれ水道水が供給され、パルセータ１４が回転を開始して濯ぎ運転が行われる。そして、洗濯物の脱水と濯ぎ運転とが交互に複数回繰り返される。最後に脱水運転が行われた後、制御装置３５が動作してシーズヒータ１９に通電され、洗濯兼脱水槽１０を介して洗濯物が加熱され、また、パルセータ１４及び、または洗濯兼脱水槽１０が低速にて回転して洗濯物が撹拌され、乾燥運転が行われる。乾燥運転が開始後、所定時間経過すると制御装置３５が動作し、シーズヒータ１９及びモータ１７への通電は停止し、洗濯物の加熱及び撹拌が停止して乾燥運転が終了する。
【００３１】
乾燥運転が終了すると、制御装置３５が動作して操作パネル１０３に設けられた図示しないブザーなどの発音器が発音し、宿泊客に洗濯が終了したことを知らせ、宿泊客は浴室１００に入り、蓋７を開け洗濯物を取り出す。
【００３２】
宿泊客がチェックアウトのため宿泊施設の宿泊料を支払う際には、管理用コンピュータ１０７にてルームナンバー毎に記憶された洗濯の回数に基づく洗濯料金が宿泊代と共に請求書としてプリントアウトされる。従って、宿泊客は宿泊料金と共に洗濯乾燥機１の使用料金を精算することができる。
【００３３】
上記説明したように宿泊客は、浴室１００の側壁に取り付けられた洗濯乾燥機１を使用して、入浴のときに下着、靴下、ハンカチなどの洗濯物を手を煩わせることなく洗濯し、乾燥させることができ、洗濯の煩わしさを無くすことができると共に、出張などの際に持参する着替えなどの枚数を極力少なくすることもできる。
【００３４】
また、洗濯乾燥機１にて生成され洗濯に使用された電解水である洗浄水を浴槽１０２の洗浄及び殺菌にも使用することができる。また、浴槽１０２の洗浄作業の簡略化することもできる。
【００３５】
さらに、宿泊客が洗濯乾燥機１を使用したときには、管理用コンピュータ１０７が使用されたルームナンバー及びＯＮ信号を入力した時刻、すなわち使用時刻などを記憶し、洗濯乾燥機１の運転状態を管理するので、管理者は宿泊客の洗濯乾燥機１の使用状態を容易に管理することができ、また、宿泊客は洗濯を行う毎に洗濯料金を支払う必要がなくなり、コインの持ち合わせがない場合にも洗濯乾燥機１を使用することができ、また宿泊料金と共に支払うことができる。
【００３６】
なお、上記実施形態では、操作パネル１０３に設けられた電源スイッチ１０６を操作しＯＮすると、ＯＮ信号が通信線１１２を介して管理室の管理用コンピュータ１０７に送られ、例えば使用されたルームナンバー及びＯＮ信号を入力した時刻が記憶されるようにしたが、これに限らず洗濯乾燥機１の運転スイッチ３７を操作したときのＯＮ信号が通信線１１１及び１１２を介して管理用コンピュータ１０７に送信されてルームナンバー及びＯＮ信号を入力した時刻が記憶されるようにしてもよい。更には、洗濯乾燥機１には運転スイッチ３７を設けないで、操作パネル１０３に設けられた操作スイッチも兼ねる電源スイッチ１０６を操作したときに洗濯乾燥機１の洗濯に係る動作が開始するようにしてもよい。
【００３７】
また、上記実施形態においては、洗濯乾燥機１が運転を開始し、洗濯運転が終了した時点で制御装置３５が動作し自動的に洗浄水が排出されたが、例えば浴室に人がいるか否かを検知する例えば人感知センサーを浴室１０２或いは洗濯乾燥機１に設け、洗濯運転が終了し浴室１００に人がいなくなったことを人感知センサーが検知したときに洗浄水が浴槽１０２に排出されるようにした場合には、宿泊客は洗濯乾燥機１の運転状態とは関係なく、入浴をすることができる。
【００３８】
また、洗濯乾燥機１或いは操作パネル１０３にコイン投入口を備えたコインメカニズムを設け、宿泊客が洗濯乾燥機１を使用する毎に所定の料金を支払うようにしてもよい。この際、入浴時の浴室１００内の湿度を考慮してコインメカニズムは浴室以外の部屋の操作パネル１０３に設けるのが好ましい。
【００３９】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【００４０】
【発明の効果】
以上のように本発明は、宿泊客は洗濯乾燥機を入浴のときなどに使用することにより、ホテルなどの宿泊先での洗濯の煩わしさを無くすことができると共に、出張などの際に持参する着替えなどの枚数を極力少なくすることもできる。
【００４１】
また、洗濯乾燥機で水処理手段にて生成され洗濯に使用された洗浄水を浴槽の洗浄及び殺菌にも使用することができる。
【００４２】
さらに、洗濯乾燥機の使用状態を管理するコンピュータにより宿泊施設の管理者は宿泊客の洗濯乾燥機の使用状態を容易に管理することができ、また宿泊客は洗濯を行う毎に洗濯料金を支払う必要がなくなり、他の宿泊料金と共に使用料金を精算することができる。
【図面の簡単な説明】
【図１】洗濯乾燥機を浴室に設けた状態の説明図である。
【図２】洗濯乾燥機の縦断側面図である。
【符号の説明】
１              洗濯乾燥機
２              筐体
６              外槽
１０            洗濯兼脱水槽
１４            パルセータ
１８            注水管
１９            シーズヒータ
２３            排水バルブ
２４            排水管
２５            排水口
２６            電解装置
３５            制御装置
３７            運転スイッチ
１００          浴室
１０１          側壁
１０２          浴槽
１０３          操作パネル
１０４          操作スイッチ
１０７          管理用コンピュータ
【図１】
2004194879.tif 000003
【図２】
2004194879.tif 000004